(57)【要約】【課題】補助電源の利用に際し、どの程度まで利用可能であるかを把握させることを課題とする。【解決手段】画像処理装置は、電源制御部と、残量検出部と、算出部と、出力部とを有する。電源制御部は、主電源からの電力供給から、補助電源からの電力供給に切り替える制御を行なう。残量検出部は、補助電源の残量を検出する。算出部は、検出された残量をもとに、画像処理の実行で処理可能な枚数を算出する。出力部は、算出された枚数を出力する。【選択図】図２
2015107564.tif 000002
【特許請求の範囲】
【請求項１】
主電源からの電力供給から、補助電源からの電力供給に切り替える制御を行なう電源制御部と、
前記補助電源の残量を検出する残量検出部と、
検出された前記残量をもとに、画像処理の実行で処理可能な枚数を算出する算出部と、
算出された前記枚数を出力する出力部と
を有することを特徴とする画像処理装置。
【請求項２】
算出された前記枚数が所定閾値以下である場合に、前記補助電源の放電深度を深くする放電深度変更部をさらに有することを特徴とする請求項１に記載の画像処理装置。
【請求項３】
前記出力部は、前記枚数と、前記放電深度とを出力することを特徴とする請求項２に記載の画像処理装置。
【請求項４】
前記残量検出部は、所定期間ごとに前記補助電源の残量を検出することを特徴とする請求項１〜３の何れか一つに記載の画像処理装置。
【請求項５】
所定枚数を画像処理する場合の消費電力を記憶する消費電力記憶部をさらに有し、
前記算出部は、前記残量と、前記消費電力とをもとに、前記枚数を算出することを特徴とする請求項１〜４の何れか一つに記載の画像処理装置。
【請求項６】
前記消費電力記憶部は、前記画像処理の機能ごとに前記消費電力を記憶し、
前記算出部は、前記残量と、前記画像処理の機能に対応する前記消費電力とをもとに、前記機能それぞれに対する前記枚数を算出し、
前記出力部は、前記機能それぞれに対する前記枚数を出力することを特徴とする請求項５に記載の画像処理装置。
【請求項７】
前記主電源からの電力供給の状態を検知する状態検知部をさらに有し、
前記電源制御部は、前記主電源からの電力供給の停止が検知された場合に、前記主電源からの電力供給から、前記補助電源からの電力供給に切り替える制御を行なうことを特徴とする請求項１〜６の何れか一つに記載の画像処理装置。
【請求項８】
前記電源制御部は、前記主電源からの電力供給が再開可能であることが検知された場合に、前記補助電源からの電力供給から、前記主電源からの電力供給に切り替える制御を行なうことを特徴とする請求項７に記載の画像処理装置。
【請求項９】
前記出力部は、検知された前記主電源からの電力供給の状態を出力し、
前記電源制御部は、出力された前記主電源からの電力供給の状態をもとに受け付けられた、電力供給元を切り替えるユーザ操作に応じて、前記主電源及び前記補助電源の何れかからの電力供給に切り替える制御を行なうことを特徴とする請求項７又は８に記載の画像処理装置。
【請求項１０】
主電源の電力供給から、補助電源からの電力供給に切り替えられた場合に、前記補助電源の残量を検出するステップと、
検出された前記残量をもとに、画像処理の実行で処理可能な枚数を算出するステップと、
算出された前記枚数を出力するステップと
をコンピュータに実行させるためのプログラム。
【発明の詳細な説明】
【技術分野】
【０００１】
本発明は、画像処理装置及びプログラムに関する。
【背景技術】
【０００２】
従来、停電時等に主電源から補助電源に切り替えて動作する画像形成装置が知られている。かかる補助電源は容量に限度がある。このため、補助電源の残量に応じて動作可能な機能を表示したり、通常時とは異なる制御を行なうことで補助電源の消費電力を抑制したりする技術が知られている。
【発明の概要】
【発明が解決しようとする課題】
【０００３】
しかしながら、上述した従来技術は、補助電源の利用に際し、どの程度まで利用可能であるかを把握させることが困難であるという問題がある。具体的には、従来技術では、現時点における補助電源の残量で動作可能な機能を認識させたり、補助電源の消費電力を抑制したりしているものの、現時点における補助電源の残量で、どの程度まで利用可能であるかは把握させることができない。
【０００４】
本発明は、上記に鑑みてなされたものであって、補助電源の利用に際し、どの程度まで利用可能であるかを把握させることが可能である画像処理装置及びプログラムを提供することを目的とする。
【課題を解決するための手段】
【０００５】
上述した課題を解決し、目的を達成するため、本発明に係る画像処理装置は、主電源からの電力供給から、補助電源からの電力供給に切り替える制御を行なう電源制御部と、前記補助電源の残量を検出する残量検出部と、検出された前記残量をもとに、画像処理の実行で処理可能な枚数を算出する算出部と、算出された前記枚数を出力する出力部とを有する。
【発明の効果】
【０００６】
本発明の一つの様態によれば、補助電源の利用に際し、どの程度まで利用可能であるかを把握させることができるという効果を奏する。
【図面の簡単な説明】
【０００７】
【図１】図１は、実施の形態１に係る画像処理装置のハードウェア構成例を示す図である。
【図２】図２は、実施の形態１に係る画像処理装置の機能構成例を示すブロック図である。
【図３】図３は、実施の形態１に係る操作表示部の例を示す図である。
【図４Ａ】図４Ａは、主電源からの電力供給時におけるプリント中の表示画面例を示す図である。
【図４Ｂ】図４Ｂは、補助電源からの電力供給時におけるプリント中の表示画面例を示す図である。
【図４Ｃ】図４Ｃは、補助電源からの電力供給時におけるプリント中に時間の経過により更新された表示画面例を示す図である。
【図４Ｄ】図４Ｄは、補助電源からの電力供給時におけるプリント中に放電深度の変更により更新された表示画面例を示す図である。
【図５】図５は、実施の形態１に係る全体処理の流れの例を示すフローチャートである。
【発明を実施するための形態】
【０００８】
以下に添付図面を参照して、本発明に係る画像処理装置及びプログラムの実施の形態を説明する。なお、以下の実施の形態により本発明が限定されるものではない。
【０００９】
（実施の形態１）
［ハードウェア構成］
図１を用いて、実施の形態１に係る画像処理装置のハードウェア構成について説明する。図１は、実施の形態１に係る画像処理装置のハードウェア構成例を示す図である。
【００１０】
図１に示すように、画像処理装置１００は、電源部１０と、システム部２０とを有する。これらのうち、電源部１０は、ＡＣ／ＤＣ変換部１１と、バッテリ１２と、パワーマネジメント部１３と、ＤＣ／ＤＣ変換部１４とを有する。かかる電源部１０は、画像処理装置１００の電源に関する処理を実行する。また、システム部２０は、コントローラ２１と、スキャナ２２と、プロッタ２３と、操作表示部２４とを有する。かかるシステム部２０は、画像処理装置１００の種々の画像処理に関する処理を実行する。
【００１１】
ＡＣ／ＤＣ変換部１１は、商用交流電源であるＡＣ電源から入力された交流電圧を所定の直流電圧に変換する。かかるＡＣ電源は、主電源として電力を供給する。図１において、ＡＣ／ＤＣ変換部１１に入力される矢印は、ＡＣ電源からの入力を表している。例えば、ＡＣ／ＤＣ変換部１１によって出力されるＤＣ電源を「Ｖ１」とする。
【００１２】
バッテリ１２は、充放電のためのＤＣ‐ＤＣ変換機能を有する蓄電池である。かかるバッテリ１２は、主電源に対する補助電源として電力を供給する。例えば、バッテリ１２を補助電源として利用する場合に、バッテリ１２によって出力される放電用のＤＣ電源を「Ｖ２」とする。
【００１３】
パワーマネジメント部１３は、停電等によるＡＣ電源の停止を検知する機能、バッテリ１２の残量を検出する機能、ＤＣ／ＤＣ変換部１４に対して出力する電源「Ｖ３」として「Ｖ１」と「Ｖ２」とを切り替える機能、コントローラ２１と通信を行なう機能を有する。例えば、パワーマネジメント部１３は、ＡＣ／ＤＣ変換部１１によって出力されるＤＣ電源「Ｖ１」をもとに、停電が発生したことを検知する。そして、パワーマネジメント部１３は、停電が発生したことを検知すると、ＤＣ／ＤＣ変換部１４に対して出力する電源「Ｖ３」を、主電源のＤＣ電源「Ｖ１」から補助電源のＤＣ電源「Ｖ２」に切り替える。その後、パワーマネジメント部１３は、停電が発生したことを表す情報と、主電源から補助電源に切り替えたことを表す情報とをコントローラ２１に対して通知する。また、パワーマネジメント部１３は、バッテリ１２の残量を検出し、検出した残量に関する情報をコントローラ２１に対して通知する。
【００１４】
ＤＣ／ＤＣ変換部１４は、パワーマネジメント部１３によって出力された電源「Ｖ３」を、システム部２０によって利用されるロジック電源「Ｖ４」やパワー電源「Ｖ５」に変換する。そして、ＤＣ／ＤＣ変換部１４は、ロジック電源「Ｖ４」やパワー電源「Ｖ５」をシステム部２０に対して出力する。
【００１５】
コントローラ２１は、画像処理装置１００の全体制御を行なう。例えば、コントローラ２１は、パワーマネジメント部１３と通信を行なう機能、バッテリ１２の残量に関する情報をもとに、画像処理装置１００による画像処理の実行で処理可能なコピー枚数や印字枚数を算出する機能を有する。すなわち、コントローラ２１は、パワーマネジメント部１３からバッテリ１２の残量に関する情報を受け付けて、バッテリ１２の残量で処理可能なコピー枚数や印字枚数を算出する。
【００１６】
スキャナ２２は、原稿を光学的に読み取り、画像データを生成する。プロッタ２３は、画像データをもとに用紙等に印字（印刷）する。操作表示部２４は、各種情報を表示するとともに、ユーザ操作による各種入力を受け付ける。例えば、操作表示部２４は、画像処理装置１００による画像処理の処理状況や、コントローラ２１によって算出された処理可能なコピー枚数や印字枚数等を表示する。また、例えば、操作表示部２４は、ユーザ操作による画像処理の開始や、画像処理に関する各種設定等の入力を受け付ける。
【００１７】
つまり、画像処理装置１００は、補助電源となるバッテリ１２からの電力供給に切り替えた場合に、該バッテリ１２の残量で処理可能なコピー枚数や印字枚数を算出し、操作表示部２４に表示する。この結果、画像処理装置１００は、補助電源の利用に際し、どの程度まで利用可能であるかを把握させることができる。
【００１８】
また、画像処理装置１００は、図１に示した構成に限られるものではない。例えば、画像処理装置１００は、印刷機能、複写機能、スキャナ機能及びファクシミリ機能のうち少なくとも２つ以上の機能を有する複合機であっても良い。なお、画像処理装置１００の詳細な機能については後述する。
【００１９】
［実施の形態１に係る機能構成］
次に、図２を用いて、実施の形態１に係る画像処理装置１００の機能構成について説明する。図２は、実施の形態１に係る画像処理装置１００の機能構成例を示すブロック図である。
【００２０】
図２に示すように画像処理装置１００は、状態検知部１１０と、電源制御部１２０と、残量検出部１３０と、消費電力記憶部１４０と、算出部１５０と、放電深度変更部１６０と、出力部１７０とを有する。これらのうち、状態検知部１１０、電源制御部１２０、残量検出部１３０及び放電深度変更部１６０は、主にパワーマネジメント部１３に含まれる機能の一例である。また、消費電力記憶部１４０、算出部１５０及び出力部１７０は、主にコントローラ２１に含まれる機能の一例である。なお、上記各部については、これらの一部又は全部がソフトウェア（プログラム）で実現されても良いし、ハードウェア回路で実現されても良い。
【００２１】
状態検知部１１０は、主電源からの電力供給の状態を検知する。より具体的には、状態検知部１１０は、主電源であるＡＣ電源からの入力を受け付けたＡＣ／ＤＣ変換部１１によるＤＣ電源の出力状況から、主電源からの電力供給の状態を検知する。例えば、状態検知部１１０は、ＤＣ電源の出力状況が通常通りに出力されている場合に、主電源からの電力供給が行なわれているものとして状態を検知する。一方、状態検知部１１０は、ＤＣ電源の出力状況が停止されている場合に、主電源からの電力供給が行なわれていないものとして状態を検知する。また、状態検知部１１０は、主電源からの電力供給が行なわれていない状態を検知した後、ＤＣ電源からの出力可能となった場合に、主電源からの電力供給が開始可能となったことも検知する。
【００２２】
ここで、主電源からの電力供給が行なわれていない状態は、主に以下の２つの状況において起こり得る。１つ目は、例えば、何らかの要因によって停電が発生した場合である。２つ目は、例えば、電力供給元を主電源から補助電源に切り替えるための操作がユーザによって行なわれた場合である。かかる操作は、操作表示部２４を用いて行なわれる。
【００２３】
図３は、実施の形態１に係る操作表示部２４の例を示す図である。図３に示すように、操作表示部２４は、表示部２４ａと、テンキー２４ｂと、ストップボタン２４ｃと、スタートボタン２４ｄと、バックアップキー２４ｅと、放電制御キー２４ｆとを有する。
【００２４】
表示部２４ａは、各種画面を表示するディスプレイである。かかるディスプレイは、タッチパネル式のディスプレイであっても良い。テンキー２４ｂは、各種設定を行なうための数字キーや矢印キー等により構成される。ストップボタン２４ｃは、画像処理装置１００で実行中の処理等を停止させるためのボタンである。スタートボタン２４ｄは、画像処理装置１００に処理等の実行を開始させるためのボタンである。
【００２５】
バックアップキー２４ｅは、電力供給元を切り替えるためのボタンである。バックアップキー２４ｅが押下された場合に、コントローラ２１は、バックアップキー２４ｅが押下されたことを表す情報をパワーマネジメント部１３に対して通知する。ユーザは、表示部２４ａに表示された、主電源からの電力供給の状態を表す情報をもとに、バックアップキー２４ｅの操作を行なう。例えば、主電源から電力供給が行なわれている状態において、バックアップキー２４ｅが押下された場合には、補助電源からの電力供給に切り替えられる。また、補助電源から電力供給が行なわれる状態において、バックアップキー２４ｅが押下された場合には、主電源からの電力供給に切り替えられる。
【００２６】
放電制御キー２４ｆは、補助電源であるバッテリ１２の放電深度を変更するためのボタンである。一般に、バッテリは、劣化を抑制するために深放電を避け、ある程度の容量を残して放電をカットするように制御されることが好ましい。但し、停電等の緊急時には、バッテリを劣化させてでも印字枚数を増やしたいというニーズがある。このため、放電制御キー２４ｆは、停電時等により補助電源であるバッテリ１２から電力供給が行なわれている状況において、バッテリ１２の放電深度を深くするために利用される。
【００２７】
図２の説明に戻り、電源制御部１２０は、主電源からの電力供給と、補助電源からの電力供給とを切り替える制御を行なう。より具体的には、電源制御部１２０は、停電等により、状態検知部１１０によって主電源からの電力供給の停止が検知された場合に、主電源からの電力供給から、補助電源であるバッテリ１２からの電力供給に切り替える制御を行なう。一方、電源制御部１２０は、停電等からの復旧により、状態検知部１１０によって主電源からの電力供給が再開可能であることが検知された場合に、補助電源であるバッテリ１２からの電力供給から、主電源からの電力供給に切り替える制御を行なう。
【００２８】
また、電源制御部１２０は、主電源からの電力供給が行なわれている状態において、バックアップキー２４ｅを押下するユーザ操作が行なわれた場合に、主電源からの電力供給から、補助電源であるバッテリ１２からの電力供給に切り替える制御を行なう。一方、電源制御部１２０は、補助電源からの電力供給が行なわれている状態において、バックアップキー２４ｅを押下するユーザ操作が行なわれた場合に、補助電源であるバッテリ１２からの電力供給から、主電源からの電力供給に切り替える制御を行なう。
【００２９】
残量検出部１３０は、補助電源の残量を検出する。より具体的には、残量検出部１３０は、補助電源であるバッテリ１２の残量を、所定期間ごと若しくは任意のタイミングで検出する。バッテリ１２の残量を検出する処理は、例えば、主電源から補助電源に電力供給が切り替えられたことをトリガに、所定期間ごとに実行されれば良い。若しくは、バッテリ１２の残量を検出する処理は、例えば、主電源から補助電源に電力供給が切り替えられたことをトリガに、後述する放電深度の変更に応じて実行されれば良い。そして、残量検出部１３０は、検出したバッテリ１２の残量を算出部１５０に対して出力する。
【００３０】
消費電力記憶部１４０は、所定枚数を画像処理する場合の消費電力を記憶する。例えば、消費電力記憶部１４０は、１枚当たりの印字処理やコピー処理による消費電力を記憶する。すなわち、消費電力記憶部１４０は、印字処理やコピー処理等の機能ごとに、所定枚数を画像処理装置１００で処理する場合の消費電力を記憶する。
【００３１】
算出部１５０は、補助電源の残量をもとに、画像処理の実行で処理可能な枚数を算出する。より具体的には、算出部１５０は、残量検出部１３０によって出力されたバッテリ１２の残量を受け付ける。また、算出部１５０は、残量検出部１３０からバッテリ１２の残量を受け付けた場合に、印字処理やコピー処理等の機能ごとに、１枚当たりの画像処理による消費電力を消費電力記憶部１４０から取得する。そして、算出部１５０は、バッテリ１２の残量と、印字処理やコピー処理等の各機能に対応する１枚当たりの画像処理による消費電力とから、画像処理の機能それぞれの実行で処理可能な枚数を算出する。以下では、印字処理やコピー処理等の画像処理の機能それぞれの実行で処理可能な枚数を、「処理可能枚数」と呼ぶ場合がある。
【００３２】
処理可能枚数の算出に利用される１枚当たりの画像処理による消費電力は、使用される用紙の大きさや、画像処理の精度によって異なる。このため、例えば、消費電力は、Ａ４用紙で画像処理を実行する場合の値としても良い。
【００３３】
放電深度変更部１６０は、補助電源の放電深度を変更する。より具体的には、放電深度変更部１６０は、算出部１５０によって算出された処理可能枚数が所定閾値以下である場合に、補助電源であるバッテリ１２の放電深度を深くする。すなわち、放電深度変更部１６０は、補助電源であるバッテリ１２が利用されている状況において、処理可能枚数が少なくなってくると、バッテリ１２の放電深度を深くすることで、処理可能枚数を増加させる。なお、設定される放電深度の深さに限度を設けても良い。
【００３４】
また、放電深度変更部１６０は、上記の他にも、放電制御キー２４ｆの押下をトリガとして、補助電源であるバッテリ１２の放電深度を深くする処理を実行する。すなわち、放電深度変更部１６０は、補助電源であるバッテリ１２が利用されている状況において、放電制御キー２４ｆを押下するユーザ操作が行なわれた場合に、バッテリ１２の放電深度を深くすることで、処理可能枚数を増加させる。
【００３５】
出力部１７０は、主電源からの電力供給の状態、処理可能枚数、補助電源の放電深度等を出力する。より具体的には、出力部１７０は、状態検知部１１０によって検知された主電源からの電力供給の状態を、操作表示部２４に対して出力する。これにより、操作表示部２４は、主電源から電力供給が行なわれていることを表す情報を表示部２４ａに表示する。ユーザは、表示部２４ａに表示された主電源からの電力供給の状態をもとに、バックアップキー２４ｅを押下するユーザ操作を行なうことができる。
【００３６】
また、出力部１７０は、算出部１５０によって算出された処理可能枚数や、補助電源であるバッテリ１２の放電深度を、操作表示部２４に対して出力する。これにより、操作表示部２４は、処理可能枚数やバッテリ１２の放電深度等の情報を表示部２４ａに表示する。ユーザは、表示部２４ａに処理可能枚数の情報が表示されることにより、補助電源の利用に際し、どの程度まで利用可能であるかを把握することができる。
【００３７】
図４Ａ〜図４Ｄを用いて、表示部２４ａに表示される画面について説明する。図４Ａは、主電源からの電力供給時におけるプリント中の表示画面例を示す図である。図４Ｂは、補助電源からの電力供給時におけるプリント中の表示画面例を示す図である。図４Ｃは、補助電源からの電力供給時におけるプリント中に時間の経過により更新された表示画面例を示す図である。図４Ｄは、補助電源からの電力供給時におけるプリント中に放電深度の変更により更新された表示画面例を示す図である。
【００３８】
図４Ａに示すように、主電源からの電力供給時に印字処理やコピー処理等によりプリントが実行されると、プリント中であることを表す情報が表示部２４ａに表示される。なお、図４Ａに図示していないが、主電源からの電力供給の状態についても表示部２４ａに表示しても良い。
【００３９】
図４Ｂに示すように、補助電源からの電力供給時に印字処理やコピー処理等によりプリントが実行されると、補助電源（バックアップ電源）であるバッテリ１２を利用したバックアッププリント中であることを表す情報が表示部２４ａに表示される。加えて、図４Ｂに示すように、印字可能枚数（例えば「１００」）、コピー可能枚数（例えば「５０」）、バッテリ１２の放電深度（例えば「８０％」）等の情報も表示部２４ａに表示される。
【００４０】
図４Ｂに示した状態から時間が経過すると、印字可能枚数と、コピー可能枚数との情報が更新される。例えば、図４Ｃに示すように、印字可能枚数が「１００」から「５０」に更新され、コピー可能枚数が「５０」から「２５」に更新される。すなわち、時間の経過に伴いバッテリ１２の残量が少なくなるため、印字可能枚数やコピー可能枚数が減少する。
【００４１】
図４Ｃに示した状態において放電制御キー２４ｆが押下されると、バッテリ１２の放電深度の情報が更新される。加えて、バッテリ１２の放電深度の変更に伴い、印字可能枚数と、コピー可能枚数との情報も更新される。例えば、図４Ｄに示すように、放電深度が「８０％」から「５０％」に更新されるとともに、印字可能枚数が「５０」から「８０」に更新され、コピー可能枚数が「２５」から「４０」に更新される。
【００４２】
図４Ｃに示した処理可能枚数が所定閾値以下である場合に、バッテリ１２の放電深度の情報が更新される。加えて、バッテリ１２の放電深度の変更に伴い、印字可能枚数と、コピー可能枚数との情報も更新される。例えば、図４Ｄに示すように、放電深度が「８０％」から「５０％」に更新されるとともに、印字可能枚数が「５０」から「８０」に更新され、コピー可能枚数が「２５」から「４０」に更新される。すなわち、デフォルトで「８０％」でカットされる放電深度は、「５０％」まで許容されるようになる。そして、放電深度の変更によって、印字可能枚数とコピー可能枚数とが増加する。
【００４３】
［実施の形態１に係る全体処理フロー］
次に、図５を用いて、実施の形態１に係る全体処理の流れについて説明する。図５は、実施の形態１に係る全体処理の流れの例を示すフローチャートである。なお、図５では、主電源からの電力供給が行なわれている通常の状態において処理が開始される場合を例に挙げる。
【００４４】
図５に示すように、状態検知部１１０によって主電源からの電力供給の停止が検知された場合に（ステップＳ１０１：Ｙｅｓ）、電源制御部１２０は、主電源からの電力供給から、補助電源であるバッテリ１２からの電力供給に切り替える（ステップＳ１０２）。一方、状態検知部１１０は、主電源からの電力供給の停止を検知していない場合に（ステップＳ１０１：Ｎｏ）、ステップＳ１０１における処理を再度実行する。
【００４５】
残量検出部１３０は、補助電源であるバッテリ１２の残量を検出する（ステップＳ１０３）。算出部１５０は、１枚当たりの画像処理による消費電力を消費電力記憶部１４０から取得し、残量検出部１３０によって検出されたバッテリ１２の残量と、取得した消費電力とから、画像処理の機能それぞれの実行における処理可能枚数を算出する（ステップＳ１０４）。
【００４６】
放電深度変更部１６０は、算出部１５０によって算出された処理可能枚数が所定閾値以下であるか否かを判定する（ステップＳ１０５）。このとき、放電深度変更部１６０は、処理可能枚数が所定閾値以下であると判定した場合に（ステップＳ１０５：Ｙｅｓ）、補助電源であるバッテリ１２の放電深度を深くする（ステップＳ１０６）。一方、放電深度変更部１６０によって、処理可能枚数が所定閾値より大きいと判定された場合には（ステップＳ１０５：Ｎｏ）、補助電源であるバッテリ１２の放電深度を変更することなく、ステップＳ１０７における処理が実行される。
【００４７】
出力部１７０は、算出部１５０によって算出された処理可能枚数と、補助電源であるバッテリ１２の放電深度とを操作表示部２４に対して出力する。これにより、表示部２４ａは、出力部１７０によって出力された処理可能枚数と放電深度とを表示する（ステップＳ１０７）。そして、状態検知部１１０によって、主電源からの電力供給が再開可能であることが検知された場合に（ステップＳ１０８：Ｙｅｓ）、電源制御部１２０は、補助電源であるバッテリ１２からの電力供給から、主電源からの電力供給に切り替える（ステップＳ１０９）。主電源からの電力供給に切り替えられた後は、ステップＳ１０１における処理が再度実行される。
【００４８】
一方、状態検知部１１０によって、主電源からの電力供給が再開可能であることが検知されていない場合には（ステップＳ１０８：Ｎｏ）、ステップＳ１０３における処理が再度実行される。すなわち、主電源からの電力供給が再開可能となるまでに、時間経過によるバッテリ１２の残量の減少で処理可能枚数が所定閾値以下となれば、放電深度が深く設定されることになる。
【００４９】
［実施の形態１による効果］
画像処理装置１００は、主電源からの電力供給から補助電源からの電力供給に切り替えた場合に、補助電源の残量を検出し、検出した残量をもとに画像処理による処理可能枚数を算出して、算出した処理可能枚数を出力する。この結果、画像処理装置１００は、補助電源の利用に際し、どの程度まで利用可能であるかをユーザに把握させることができる。また、画像処理装置１００は、停電時等において補助電源を利用している場合に、画像処理による処理可能枚数を把握させることができるので、優先すべき画像処理を実行させることができ、利便性の向上をはかることができる。
【００５０】
また、画像処理装置１００は、バックアップキー２４ｅの押下によって主電源からの電力供給から補助電源からの電力供給に切り替え、画像処理による処理可能枚数を出力する。この結果、画像処理装置１００は、電力需要のピークを低く抑えるピークカットや、電力需要が最大になる時間帯をずらすピークシフトを任意に実現することができる。
【００５１】
また、画像処理装置１００は、放電制御キー２４ｆが押下された場合や、処理可能枚数が所定閾値以下となった場合に、補助電源であるバッテリ１２の放電深度を深くする。この結果、画像処理装置１００は、停電等の緊急時に、画像処理による処理可能枚数を増加させることができるので、利便性の向上をはかることができる。
【００５２】
（実施の形態２）
さて、これまで本発明に係る画像処理装置の実施の形態について説明したが、上述した実施の形態以外にも種々の異なる形態にて実施されて良いものである。そこで、（１）構成、（２）プログラム、について異なる実施の形態を説明する。
【００５３】
（１）構成
上記文書中や図面中等で示した処理手順、制御手順、具体的名称、各種のデータやパラメタ等を含む情報は、特記する場合を除いて任意に変更することができる。また、図示した装置の各構成要素は、機能概念的なものであり、必ずしも物理的に図示の如く構成されていることを要しない。すなわち、装置の分散又は統合の具体的形態は、図示のものに限られず、その全部又は一部を各種の負担や使用状況等に応じて、任意の単位で機能的又は物理的に、分散又は統合することができる。
【００５４】
例えば、電源制御部１２０と放電深度変更部１６０とを、主電源と補助電源との電力供給を切り替える制御を行なうとともに、補助電源の放電深度を変更する処理を実行する「電源制御部」として統合しても良い。また、例えば、状態検知部１１０と電源制御部１２０とを、主電源からの電力供給の状態を検知するとともに、検知した状態をもとに主電源と補助電源との電力供給を切り替える制御を行なう「電源制御部」として統合しても良い。
【００５５】
（２）プログラム
また、画像処理装置１００で実行されるプログラムは、一つの様態として、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録されて提供される。また、画像処理装置１００で実行されるプログラムを、インターネット等のネットワークに接続されたコンピュータ上に格納し、ネットワーク経由でダウンロードさせることにより提供するようにしても良い。また、画像処理装置１００で実行されるプログラムをインターネット等のネットワーク経由で提供又は配布するように構成しても良い。また、画像処理装置１００で実行されるプログラムを、ＲＯＭ等に予め組み込んで提供するように構成しても良い。
【００５６】
画像処理装置１００で実行されるプログラムは、上述した各部（状態検知部１１０、電源制御部１２０、残量検出部１３０、算出部１５０、放電深度変更部１６０、出力部１７０）を含むモジュール構成となっており、実際のハードウェアとしてはＣＰＵ（プロセッサ）が記憶媒体から上記プログラムを読み出して実行することにより、上記各部が主記憶装置上にロードされ、状態検知部１１０、電源制御部１２０、残量検出部１３０、算出部１５０、放電深度変更部１６０、出力部１７０が主記憶装置上に生成されるようになっている。
【符号の説明】
【００５７】
１００  画像処理装置
１１０  状態検知部
１２０  電源制御部
１３０  残量検出部
１４０  消費電力記憶部
１５０  算出部
１６０  放電深度変更部
１７０  出力部
【先行技術文献】
【特許文献】
【００５８】
【特許文献１】特開２０１１−０６６９６８号公報
【特許文献２】特開２０１３−０３７２５６号公報
【図１】
2015107564.tif 000003
【図２】
2015107564.tif 000004
【図３】
2015107564.tif 000005
【図４Ａ】
2015107564.tif 000006
【図４Ｂ】
2015107564.tif 000007
【図４Ｃ】
2015107564.tif 000008
【図４Ｄ】
2015107564.tif 000009
【図５】
2015107564.tif 000010